【手続補正書】
【提出日】平成16年2月9日(2004.2.9)
【手続補正１】
【補正対象書類名】特許請求の範囲
【補正対象項目名】請求項８
【補正方法】変更
【補正の内容】
【請求項８】
繊維は、末端挿入端部から２ｍｍ以内に繊維が全くないように、カニューレに配置されることを特徴とする請求項７に記載の方法。
【手続補正２】
【補正対象書類名】特許請求の範囲
【補正対象項目名】請求項３９
【補正方法】変更
【補正の内容】
【請求項３９】
歯内洗浄器用チップに流体を分配する手段とともに使用する歯内洗浄器用チップであって、
末端部に対向する基端部を有するハブであって、該ハブは、該ハブの内部表面によって画定される中空室を有し、該中空室は、流体を歯内洗浄器用チップに分配する手段と流体連通するための中空室への開口である入り口を有する、ハブと、
該ハブの基端部を、洗浄器用チップに流体を分配する手段に連結する手段と、
ハブの末端部から延び、歯の歯根管へのカニューレの挿入を可能とする長さと外形を有するカニューレであって、該カニューレは、末端挿入端部で終わり、該カニューレは、カニューレの内部表面により画定される導管を有し、該導管は、ハブの中空室と流体連通する入り口を有し、該導管は、流体が中空室から導管を通り、次に出口オリフィスから送出され得るように出口オリフィスで終わり、該出口オリフィスは、丸い縁によって画定されている、カニューレと、
少なくともカニューレの一部の周囲を取り囲んで配置される繊維であって、該繊維は、カニューレが歯根管内で上下に動かされるとき、繊維が磨き動作において歯根管の表面に係合することを可能にする長さを持ってカニューレから延びている、繊維と、
を備えていることを特徴とする歯内洗浄器用チップ。
【手続補正３】
【補正対象書類名】明細書
【補正対象項目名】００１５
【補正方法】変更
【補正の内容】
【００１５】
本発明の歯内洗浄器用チップの別の実施態様が図２Ａ−２Ｃに２０’で示されている。チップ２０及び２０’の末端挿入端部は、それぞれ図１Ｂ及び図２Ｃで対比される。図４−５は、それぞれの洗浄器用チップのカニューレ上に繊維の帯を有する、それぞれ２０''及び２０'''で示される洗浄器用チップのさらなる実施態様を示している。各実施態様については、以下に詳細に述べられる。カニューレのいろいろな末端挿入端部１６４及びそれぞれの出口オリフィス１７６が、図６Ａ−６Ｃに示されている。同じ数字が、各実施態様の対応する要素を同一のものであると認定するのに使用されているとともに、主記号が、特定の実施態様に関する要素を指示するために使用されていることに留意されたい。
【手続補正４】
【補正対象書類名】明細書
【補正対象項目名】００１８
【補正方法】変更
【補正の内容】
【００１８】
繊維で覆われているカニューレの部分は、歯根管にブラシをかけるために、歯根管内でわずかに上下動されさえすればよいように、十分に長いことが好ましい。したがって、繊維で覆われた部分の長さは、歯根管の長さ、歯の先端から歯髄腔までの長さ、にほとんど相当することが好ましい。繊維で覆われた部分が、そのような長さを有する場合、カニューレのどのような上下動も、歯根管にブラシがかけられることを可能にする。もちろん、そのような上下動が歯根管内で歯堤を形成したり、あるいは、カニューレにしわを作る危険性を増大させるので、歯根管内での上下動の必要性を最小限に抑えることが望ましい。カニューレの長さの約半分が歯髄腔を越えて歯根管内に延在するのに利用されるので、カニューレの繊維で覆われた部分は、カニューレの作業長さの約１／２の長さを有することが好ましい。図３Ｂに示されるように、作業長さの約半分以上が要求通りに歯根管内に延在する必要性があるかもしれない。繊維で覆われた部分は、歯根管の長さに相当することが好ましいけれども、該繊維で覆われた部分は、もっと短くてもよい。例えば、カニューレの約１／４だけが繊維で覆われている場合でも、効果的にブラシをかけることが達成され得る。しかしながら、覆われている部分がカニューレの１／５以下であると、このとき、カニューレは、歯根管の全てにブラシをかけるために、歯根管内で要求される以上に動かされなければならない。したがって、繊維で覆われた部分は、カニューレの作業長さの約１／５以上、好ましくは、少なくともカニューレの約１／４以上、最も好ましくは、少なくとも作業長さの約１／２以上であることが好ましい。
【手続補正５】
【補正対象書類名】明細書
【補正対象項目名】００２０
【補正方法】変更
【補正の内容】
【００２０】
カニューレ６０’、６０''及び６０'''各々は、出口オリフィス７６のすぐ近くに繊維が全くないように、また、末端挿入端部６４が歯根管表面に直接接触できるように、末端挿入端部から十分離れた上方に配置されている繊維を有する。この構成は、ある状況では有益であるかもしれない。図３Ｂは、末端挿入端部６４’が約２ｍｍから約３ｍｍ先端９６から離れているような、歯根管９２内に挿入されたカニューレ６０’を示している。この距離は、大部分の歯根管先端上方のほとんど先端方向の狭窄部の高さに相当する。カニューレ６０のような、その下方部分全てが覆われているカニューレも、通常、従来の洗浄器用チップが挿入されると同じ距離まで挿入され得る。しかしながら、カニューレが比較的小さい径を有する場合、カニューレを先端に向けて歯根管内に挿入することは容易であるので、事情が変わって末端挿入端部が先端に向けて延在するのに大きいとき、末端挿入端部上に繊維がないことが、時には好ましいかもしれない。
【手続補正６】
【補正対象書類名】明細書
【補正対象項目名】００２１
【補正方法】変更
【補正の内容】
【００２１】
ある場合に、カニューレの末端挿入部分が繊維で覆われないように該カニューレの末端挿入部分を維持することにより、歯根管でカニューレの末端挿入端部の前進を最適に感じることは実務家にとって好ましいかもしれない。流体の流れが歯根管の破片により妨げられるようになりそうもないとき、出口オリフィス７６’及び１７６ａのようなカニューレの出口オリフィスのすぐ近くに繊維を設けないことも有利であるかもしれない。より詳細には、それは、軟性物質がカニューレの出口オリフィスの周囲の繊維内に詰まるようになる可能性を避ける。
【手続補正７】
【補正対象書類名】明細書
【補正対象項目名】００４０
【補正方法】変更
【補正の内容】
【００４０】
首部４０’の末端停止端部４４’は、カニューレ６０’の外径よりかなり大きい直径を有する。したがって、図３Ａ−３Ｂに示されるように、末端停止端部４４’は、一体型ストッパとして作用し、首部４０’の末端停止端部４４’から延びるカニューレ６０’の部分の長さ以上に歯内洗浄器用チップ２０’の歯根管９２内への進入を妨げる。示されるように、実務家は、末端停止端部４４’を歯冠の咬合面の縁部に戦略的、かつタイミングよく位置決めし、制御された方法で歯根管９２内でのカニューレ６０’の位置を確定することができる。
【手続補正８】
【補正対象書類名】明細書
【補正対象項目名】００４１
【補正方法】変更
【補正の内容】
【００４１】
示されるように、末端停止端部４４’の平坦な末端面４６’は、カニューレ６０’に略直角をなしている。面４６’がカニューレ６０’に略直角をなして方向付けられているので、面４６’は、歯の歯冠上に安全な方法で確実に位置決めされる。ストッパから延びるカニューレ６０’の部分のみが歯根管内へ挿入され得るので、ストッパは、歯根尖の穿孔を防止する。このことは、繊維８０が歯根管表面にブラシをかけることを可能とするために、歯根管９２内で上下運動でカニューレを動かすとき特に有利である。
【手続補正９】
【補正対象書類名】図面
【補正対象項目名】図１Ａ
【補正方法】変更
【補正の内容】
【図１Ａ】
2004522511.tif 000001
【手続補正１０】
【補正対象書類名】図面
【補正対象項目名】図３Ｂ
【補正方法】変更
【補正の内容】
【図３Ｂ】
2004522511.tif 000002
【手続補正１１】
【補正対象書類名】図面
【補正対象項目名】図５
【補正方法】変更
【補正の内容】
【図５】
2004522511.tif 000003